(57)【要約】【課題】不用意にアンテナが倒れないようにして、最適なアンテナ状態で携帯通信端末を使用することができるようにする。【解決手段】孔部、第１の被係合部１０及び第２の被係合部１１を有したアンテナ本体２と、このアンテナ本体２に給電を行う給電端子１７と、孔部に挿入してアンテナ本体２を筐体に対し可動自在に支持させる回転軸４と、回転軸４を支持する軸受け部材５と、アンテナ本体２を筐体内に収納させた状態（閉じた状態）と、アンテナ本体２を筐体から突出させ起立させた状態に保持するロック部材６とを備える。アンテナ本体２を閉じた状態とするには、ロック爪９を第１の被係合部１０に係合させ、アンテナ本体２を開いた状態とするには、ロック爪９を第２の被係合部１１に係合させる。【選択図】　図１
2004128978.tif 000002
【特許請求の範囲】
【請求項１】
一端部近傍に孔部、第１の被係合部及び第２の被係合部を有したアンテナ本体と、
前記アンテナ本体に給電を行う給電端子と、
前記孔部に挿入されて前記アンテナ本体を筐体に対し可動自在に支持させる回転軸と、
前記回転軸を支持する軸受け部材と、
前記第１の被係合部に係合部を係合させて前記アンテナ本体を前記筐体内に収納させた状態に保持し、また、前記第２の被係合部に係合部を係合させて前記アンテナ本体を前記筐体から突出させ起立させた状態に保持するロック部材とを備えた
ことを特徴とする携帯通信端末用アンテナ。
【請求項２】
請求項１記載の携帯通信端末用アンテナであって、
前記第１の被係合部及び前記第２の被係合部が溝又は爪部であり、前記係合部が爪部又は溝である
ことを特徴とする携帯通信端末用アンテナ。
【請求項３】
請求項１記載の携帯通信端末用アンテナであって、
前記軸受け部材には、前記給電端子を位置決めする位置決め手段が設けられている
ことを特徴とする携帯通信端末用アンテナ。
【請求項４】
請求項３記載の携帯通信端末用アンテナであって、
前記位置決め手段は、前記給電端子をガイドする溝である
ことを特徴とする携帯通信端末用アンテナ。
【請求項５】
筐体に対して一端部を可動自在に取り付けたアンテナ本体と、
前記アンテナ本体を前記筐体から突出させ常に起立する方向に付勢する付勢手段と、
前記アンテナ本体を前記筐体内に収納させた状態に保持する第１のロック手段と、
前記アンテナ本体を前記筐体から突出させ起立させた状態に保持する第２のロック手段とを備えた
ことを特徴とする携帯通信端末用アンテナ。
【請求項６】
請求項５記載の携帯通信端末用アンテナであって、
前記第１のロック手段は、前記アンテナ本体の他端部近傍に形成された係合溝と、この係合溝に係合するロック爪を有したロック部材と、前記ロック爪を前記係合溝に係合させる方向に付勢する付勢部材とを備えた
ことを特徴とする携帯通信端末用アンテナ。
【請求項７】
請求項５記載の携帯通信端末用アンテナであって、
前記第１のロック手段は、前記アンテナ本体の他端部を係止するロック爪を有したロック部材と、前記ロック爪を前記他端部に係止させる方向に付勢する付勢部材とを備えた
ことを特徴とする携帯通信端末用アンテナ。
【請求項８】
請求項５記載の携帯通信端末用アンテナであって、
前記第１のロック手段は、前記アンテナ本体の他端部近傍に設けられた第１の磁石と、この第１の磁石を引き寄せる第２の磁石と、前記第２の磁石を前記第１の磁石に対して引き寄せる方向に付勢する付勢部材とを備えた
ことを特徴とする携帯通信端末用アンテナ。
【請求項９】
請求項５記載の携帯通信端末用アンテナであって、
前記第２のロック手段は、前記アンテナ本体の一端部近傍に形成された被係合部と、この被係合部に係合するロック部材とを備えた
ことを特徴とする携帯通信端末用アンテナ。
【発明の詳細な説明】
【０００１】
【発明の属する技術分野】
本発明は、例えば携帯電話機などの携帯通信端末用アンテナに関し、特に、アンテナを端末本体に収納したときとアンテナを端末本体から起こしたときにそれぞれの状態をロックさせるロック機構に関する。
【０００２】
【従来の技術】
携帯無線機用のアンテナとしては、例えば無線機筐体の外部に凹部を設け、当該無線機筐体の一部を構成し且つ無線機筐体の表面とほぼ連続した面を有するアンテナ構成体を前記凹部に可動自在に取り付け、前記アンテナ構成体を前記凹部に収納させた状態と前記凹部から起立させた状態として使用する構造のものが提案されている（例えば、特許文献１参照）。
【０００３】
この携帯無線機用アンテナは、アンテナ構成体を取り外したりせずに携帯無線機を持ち運びやすい大きさにできる効果があると共に、小型化に有利であり、また、デザイン的な観点において有利であるという効果がある。また、この携帯無線機用アンテナは、アンテナ構成体が可動機構によって無線機筐体の外部に形成した凹部に収納可能であることから、非通話時などにおいてアンテナを前記凹部に収納しておくことができ携帯性に優れている。
【０００４】
【特許文献１】
特許第２９１９０２４号公報（第３頁、第１図）
【０００５】
【発明が解決しようとする課題】
しかしながら、この携帯無線機用アンテナにはロック機構が無いため、アンテナ構成体を起こしている場合、不安的な状態にあり起立状態を保持することができない。このため、携帯無線機に何らかの衝撃が加わるとアンテナ構成体が倒れてしまうことがある。
【０００６】
また、アンテナ構成体を倒して携帯無線機を携帯している際に、何らかの拍子で容易にアンテナ構成体が起きあがってしまうこともある。このように、前記構成の携帯無線機用アンテナでは、アンテナ構成体を所定位置に位置決め保持させることができないため、最適なアンテナ状態での使用が困難である。
【０００７】
そこで本発明は、このような課題に鑑みてなされたものであり、アンテナを閉じた状態とアンテナを起立させた状態で使用している際に、容易にアンテナが開いたり倒れないようにして、最適なアンテナ状態で携帯通信端末を使用することが可能な携帯通信端末用アンテナを提供することを目的とする。
【０００８】
【課題を解決するための手段】
本発明の携帯通信端末用アンテナは、アンテナ本体と、このアンテナ本体を筐体に対して可動自在に支持させる回転軸と、前記回転軸を支持する軸受け部材と、アンテナ本体を筐体内に収納させた状態に保持し、また、アンテナ本体を筐体から突出させ起立させた状態に保持するロック部材とを備えている。
【０００９】
本発明の携帯通信端末用アンテナによれば、ロック部材によってアンテナ本体が閉じた状態（筐体内に収納された状態）を保持し、また、アンテナ本体が開いた状態（筐体から突出し起立した状態）を保持できるので、不用意にアンテナ本体が倒れ込んだり立ち上がったりすることを回避できる。
【００１０】
また、本発明の携帯通信端末用アンテナは、筐体に対して可動自在に取り付けたアンテナ本体と、このアンテナ本体を筐体から突出させ常に起立する方向に付勢する付勢手段と、アンテナ本体を筐体内に収納させた状態に保持する第１のロック手段と、アンテナ本体を筐体から突出させ起立させた状態に保持する第２のロック手段とを備えている。
【００１１】
本発明の携帯通信端末用アンテナによれば、第１のロック手段と第２のロック手段を有していることから、アンテナ本体が閉じた状態を保持できると共に、アンテナ本体が開いた状態を保持することもでき、結果としてアンテナ本体の不用意な倒れ込みを回避できる。
【００１２】
【発明の実施の形態】
以下、本発明を適用した具体的な実施の形態について、図面を参照しながら詳細に説明する。本実施の形態は、携帯通信端末の一つである携帯電話機に、本発明のアンテナを適用したものである。
【００１３】
［携帯通信端末用アンテナの構成］
図１及び図２には、携帯通信端末の筐体に組み込まれる携帯通信端末用アンテナを示す。なお、図１及び図２は、上ハーフ及び下ハーフから構成される筐体の下ハーフのみを示してある。
【００１４】
本実施の形態の携帯通信端末用アンテナ１は、アンテナ本体２と、アンテナ本体２を筐体３に対して可動自在に支持させる回転軸４と、この回転軸４を支持する軸受け部材５と、アンテナ本体２を筐体３内に収納して閉じた状態（以下、単に閉じた状態という）に保持し、また、アンテナ本体２を筐体３から突出させて起立させた状態（以下、単に開いた状態という）に保持するロック部材６と、アンテナ本体２に給電を行う給電端子１７とを備えている。
【００１５】
アンテナ本体２は、プラスチックなどの誘電体物質からなるカバーの中に、例えば金属線を螺旋状に巻いて形成されたアンテナエレメント（図示は省略する）を有している。もちろん、アンテナ本体２は、この構成に制限されることはない。かかるアンテナ本体２は、図２に示すように、閉じた状態とされたときに、前記筐体３の外形の一部を構成するような形状となっている。このアンテナ本体２の一端部近傍には、前記回転軸４を挿通させる軸挿通孔７が形成されている。
【００１６】
また、アンテナ本体２の一端部近傍には、このアンテナ本体２を前記筐体３に対して位置決めすると共に回転軸４の先端部を支持してガイドするガイド部材８を嵌入させるための嵌入孔（図示は省略する）が形成されている。この嵌入孔は、回転軸４を挿入させる側とは反対側の面に、当該回転軸４と同心位置に前記軸挿通孔７よりも大きな孔として形成されている。ガイド部材８は、回転軸４の先端部を挿入させてガイドする円筒体として形成され、前記筐体３の内面３ａに突出している。
【００１７】
また、このアンテナ本体２の一端部近傍には、ロック部材６の係合部であるロック爪９が係合する第１の被係合部１０と第２の被係合部１１が形成されている。第１の被係合部１０は、図３に示すように、ロック爪９と係合して前記アンテナ本体２が閉じた状態を保持する。かかる第１の被係合部１０は、前記アンテナ本体２の一端部近傍の外周面に外側へ向かって突出する突起として形成されている。この突起にロック爪９が引っ掛かって係合することにより、前記アンテナ本体２の閉じた状態が保持されることになる。この結果、ロック爪９と第１の被係合部１０との係合状態（ロック状態）を解除しない限り、閉じた状態が保持されることになる。
【００１８】
第２の係合部１１は、図４に示すように、ロック爪９と係合して前記アンテナ本体２が開いた状態を保持する。この第２の被係合部１１は、前記アンテナ本体２の一端部近傍の外周面に溝部として形成されている。この溝部にロック爪９が入り込んで引っ掛かることで、前記アンテナ本体２が開いた状態を保持することになる。この結果、ロック爪９と第２の被係合部１１との係合状態（ロック状態）を解除しない限り、開いた状態が保持されることになる。
【００１９】
ロック部材６は、図１に示すように、筐体３の内面３ａに形成された支持部材１２に取り付けられて可動自在とされる軸支持孔１３と、前記第１の被係合部１０又は第２の被係合部１１と係合して前記アンテナ本体２をロックするロック爪９とを有している。このロック部材６は、軸支持孔１３を前記支持部材１２に挿入させることによって、当該支持部材１２を軸として回動するようになっている。そして、このロック部材６が回動することによって、前記軸支持孔１３が形成された基端部とは反対側の先端部に形成されたロック爪９が前記第１の被係合部１０又は第２の被係合部１１と係合することになる。
【００２０】
また、ロック爪９は、弾性変位可能なアーム部１９の先端に設けられている。このロック爪９は、前記第１の被係合部１０及び第２の被係合部１１と係合するときに、前記アーム部１９が撓むことによって生じた弾性力をもって前記第１の被係合部１０及び第２の被係合部１１と係合し、前記アンテナ本体２の閉じた状態と開いた状態を確実に保持する。
【００２１】
軸受け部材５は、図１及び図２に示すように、筐体３の内面３ａに形成されたガイド軸１４に取り付けられる取付孔１５と、前記回転軸４を挿入させて当該回転軸４の回転をガイドするガイド孔１６と、前記給電端子１７をガイドするガイド溝１８とを有している。この軸受け部材５は、アンテナ本体２及びロック部材６の上に覆って設けられ、前記取付孔１５を前記ガイド軸１４に取り付けることによって筐体３に装着される。
【００２２】
なお、軸受け部材５は、筐体３に一体化されて形成されていても構わない。
【００２３】
給電端子１７は、図１及び図２に示すように、導電性を有した金属板からなり、前記回転軸４に固定されている。この給電端子１７は、回転軸４を介してアンテナ本体２に給電するようになっている。また、給電端子１７は、軸受け部材５に形成されたガイド溝１８に嵌り込んでガイドされ位置ズレが生じないようにされている。
【００２４】
［アンテナの開閉動作］
次に、以上のように構成された携帯通信端末用アンテナ１の開閉状態について説明する。アンテナ本体２が閉じた状態では、図３に示すように、第１の被係合部１０にロック爪９が係合しており、これらが係合することによって前記アンテナ本体２が筐体３内に収納された状態を保持する。また、アンテナ本体２が閉じた状態では、当該アンテナ本体２が筐体３の外観の一部を構成するようになっている。
【００２５】
この閉じた状態からアンテナ本体２を開いた状態にするには、アンテナ本体２の先端部を例えば指先などで引っ掛けて筐体３から引き起こす方向に引っ張る。すると、第１の被係合部１０と係合していたロック爪９は、アーム部１９が変位することによって係合を解除する方向に弾かれる。この結果、アンテナ本体２は回転軸４を軸として回転可能となる。
【００２６】
そして、アンテナ本体２を回転させて行くと、ロック爪９が第２の被係合部１１と係合する。つまり、ロック爪９が第２の被係合部１１である溝内に嵌り込むことによって、アンテナ本体２は、図４に示すように起立して筐体３の外方に突出して開いた状態となる。アンテナ本体２が開いた状態では、第２の被係合部１１にロック爪９が係合した状態にあるため、ロックが掛かりこの状態を保持することになる。このため、アンテナ本体２が不用意に倒れるようなことは起こらない。
【００２７】
また、アンテナ本体２が開いた状態から閉じた状態とするには、アンテナ本体２の先端側を筐体３側へ倒して行く。すると、ロック爪９が第２の被係合部１１に押されて溝内からはじき出される。この結果、アンテナ本体２は、回転軸４を軸として回転可能となる。そしてさらに、アンテナ本体２を回転させて行くと、今度はロック爪９が第１の被係合部１０と係合する。このロック爪９と第１の被係合部１０が係合することによって、アンテナ本体２が筐体３内に収納され閉じた状態となる。
【００２８】
このように、本実施の形態の携帯通信端末用アンテナ１によれば、アンテナ本体２を閉じた状態と開いた状態で使用していても不用意にアンテナ本体２が倒れたり開いたりすることがなく、最適なアンテナ状態で携帯通信端末を使用することができる。
【００２９】
［他の実施の形態］
上記した実施の形態は、アンテナ本体２を指などを使用して起立させたり折り畳んだりしたが、開く動作（起立動作）を自動化するようにしてもよい。その一例として以下に、４つの例を挙げて説明する。
【００３０】
第１番目の例を図５に示す。この例は、回転軸４を挿通させる軸挿通孔７の周囲に形成したボス４７に、付勢手段としてのねじりコイルバネ２０を取り付け、そのねじりコイルバネ２０の一端部２０ａをアンテナ本体２に形成したバネ固定突起２１に係止させると共に他端部２０ｂを筐体３に形成したバネ固定突起２２に係止させるようにして、常にアンテナ本体２を開く方向に付勢している。
【００３１】
また、アンテナ本体２の他端部である先端部には、アンテナ本体２を筐体３内に収納させた状態に保持する第１のロック手段が設けられている。第１のロック手段は、筐体３内に設けられたロック部材２３と、このロック部材２３に係止される係合溝２４とからなる。
【００３２】
ロック部材２３は、前記係合溝２４に係合するロック爪２５を有しており、前記筐体３に対し支持軸２６を中心として回動自在に取り付けられている。また、このロック部材２３は、一端２７ａが筐体３に固定され他端２７ｂがロック部材２３に固定されたコイルバネ２７によって、常に前記ロック爪２５が前記係合溝２４に係合するように付勢されている。
【００３３】
また、このアンテナには、アンテナ本体２を筐体３から突出させ起立させた状態に保持する第２のロック手段が設けられている。第２のロック手段は、アンテナ本体２の一端部近傍に形成された被係合部である溝部２８と、この溝部２８に嵌合する突部２９を有したロック部材３０とからなる。
【００３４】
ロック部材３０は、本体より外方へ突出した突部２９を有し、当該本体内に内蔵したバネなどによって前記突部２９の該本体からの突出量が可変できるようになっている。言い換えれば、ロック部材３０は、突部２９を押し込むと本体内に僅かに引っ込み、その押し込みを解除すると突部２９が本体から突出する。
【００３５】
上記した構成の携帯通信端末用アンテナ１において、閉じた状態から開いた状態とするには、図５（ａ）に示すように、アンテナ本体２がロック部材２３によってロックされ閉じた状態から前記ロック部材２３を図５（ｂ）中矢印Ａ方向へ倒す。すると、係合溝２４からロック爪２５が外れ、アンテナ本体２は、ねじりコイルバネ２０の付勢力によって図５（ｃ）中矢印Ｂ方向に自動的に回動し起立する。この一方、ロック部材２３は、手を離すことによってコイルバネ２７によって元の位置（図５（ａ）に示す位置）に復帰する。ロック部材２３が元の位置に復帰すると、図示しない位置決め手段によってその状態が保持される。
【００３６】
そして、図５（ｃ）に示す状態までアンテナ本体２が回動すると、今度はアンテナ本体２の一端部側に設けられたロック部材３０の突部２９が当該アンテナ本体２に形成された溝部２８に嵌り込む。この突部２９が前記溝部２８に嵌り込むことによって、アンテナ本体２はこれ以上回動することが不可能となり、その起立した状態を保持する。また、前記突部２９が前記溝部２８に嵌り込むことによって、アンテナ本体２が不用意に倒れ込むことが防止される。
【００３７】
一方、アンテナ本体２を開いた状態から閉じた状態とするのには、当該アンテナ本体２を筐体３側へ倒し込んで行く。すると、アンテナ本体２の先端部に形成された係合溝２４にロック部材２３のロック爪２５が入り込む。このロック爪２５が係合溝２４に係合することで、アンテナ本体２が筐体３内に収納され閉じた状態が保持される。
【００３８】
第２番目の例を図６に示す。この例は、図５に示した第１のロック手段の形態が異なる他は図５に示す機構と同じ構成である。この例の第１のロック手段は、ロック部材３１と、アンテナ本体２の先端寄りの位置に形成された係合溝３２とからなる。
【００３９】
ロック部材３１は、略Ｊ字形状をした本体３３を有し、その本体３３の先端に前記係合溝３２と係合するロック爪３４を有している。また、このロック部材３１は、例えば指などを引っ掛けて操作するためのスライド操作部３５を有している。スライド操作部３５は、本体３３の後端部近傍に形成されており、指先などを引っ掛けて操作し得る程度の突起とされている。
【００４０】
そして、前記ロック部材３１は、前記筐体３に設けられたガイド軸３６に取り付けられ、このガイド軸３６に沿ってスライド自在とされている。すなわち、ロック部材３１は、本体３３に形成したガイド軸挿入孔（図示は省略する）を前記ガイド軸３６に挿入させることによって、当該ガイド軸３６をガイドとしてスライド自在とされている。
【００４１】
また、このロック部材３１は、ガイド軸３６を固定又はガイド軸３６と一体化された前記筐体３に形成された壁部３７と前記本体３３の基端部との間に介在されたコイルバネ３８によって、常に壁部３７側へ付勢されている。
【００４２】
係合溝３２は、筐体３内に収納される側の内面２ａに形成されており、アンテナ本体２の先端側へ向かって斜め上方に切り欠かれることによって形成されている。この係合溝３２に前記ロック爪３４が係合することによって、前記アンテナ本体２が閉じた状態に保持される。
【００４３】
上記した構成の携帯通信端末用アンテナ１において、閉じた状態から開いた状態とするには、図６（ａ）に示すように、アンテナ本体２がロック部材３１によってロックされ閉じた状態から前記ロック部材３１を図６（ｂ）中矢印Ｃ方向にスライドさせる。すなわち、図６（ａ）のアンテナ本体２が閉じた状態からロック部材３１を当該アンテナ本体２の一端部側へスライドさせる。すると、係合溝３２からロック爪３４が外れ、アンテナ本体２は、ねじりコイルバネ２０の付勢力によって図６（ｃ）中矢印Ｂ方向に自動的に回動し起立する。この一方、ロック部材３１は、指先をスライド操作部３５から離すことによってコイルバネ３８によって元の位置（図６（ａ）に示す位置）に復帰する。
【００４４】
そして、図６（ｃ）に示す状態までアンテナ本体２が回動すると、今度はアンテナ本体２の一端部側に設けられたロック部材３０の突部２９が当該アンテナ本体２に形成された溝部２８に嵌り込む。この突部２９が前記溝部２８に嵌り込むことによって、アンテナ本体２はこれ以上回動することが不可能となり、その起立した状態を保持する。
【００４５】
一方、アンテナ本体２を開いた状態から閉じた状態とするには、当該アンテナ本体２を筐体３側へ倒し込んで行く。すると、アンテナ本体２に形成された係合溝３２にロック部材３１のロック爪３４が入り込む。このロック爪３４が係合溝３２に係合することで、アンテナ本体２が筐体３内に収納され閉じた状態が保持される。
【００４６】
第３番目の例を図７に示す。この例は、図５に示した第１のロック手段の形態が異なる他は図５に示す機構と同じ構成である。この例の第１のロック手段は、アンテナ本体２に内蔵された第１の磁石３９と、この第１の磁石３９を引き寄せる第２の磁石４０を備えたロック部材４１とを有している。
【００４７】
第１の磁石３９は、アンテナ本体２の先端に内蔵されている。ロック部材４１は、先端側に第２の磁石４０を内蔵した本体４２と、例えば指などを引っ掛けて操作するためのスライド操作部４３とを有している。なお、本体４２自体が磁石であっても構わない。
【００４８】
そして、前記ロック部材４１は、前記筐体３に設けられたガイド軸４４に取り付けられ、このガイド軸４４に沿ってスライド自在とされている。すなわち、ロック部材４１は、前記ガイド軸４４に前記本体４２に形成したガイド軸挿入孔（図示は省略する）を挿入させることによって、当該ガイド軸４４をガイドとしてスライド自在とされている。
【００４９】
また、このロック部材４１は、ガイド軸４４を固定又はガイド軸４４と一体化された前記筐体３に形成された壁部４５と前記本体４２の基端部との間に介在されたコイルバネ４６によって、常に壁部４５側へ付勢されている。
【００５０】
上記した構成の携帯通信端末用アンテナ１において、閉じた状態から開いた状態とするには、図７（ａ）に示すように、アンテナ本体２がロック部材４１によってロックされた状態から前記ロック部材４１を図７（ｂ）中矢印Ｄ方向にスライドさせる。すなわち、図７（ａ）のアンテナ本体２が閉じた状態からロック部材４１を前記壁部４５側へスライドさせる。
【００５１】
すると、第１の磁石３９と第２の磁石４０の引き寄せる力によってロックされた状態にあったアンテナ本体２は、これら第１の磁石３９と第２の磁石４０間の引き合う力が解除され、ねじりコイルバネ２０の付勢力によって図７（ｃ）中矢印Ｂ方向に自動的に回動し起立する。この一方、ロック部材４１は、指先をスライド操作部４３から離すことによってコイルバネ４６によって元の位置（図７（ａ）に示す位置）に復帰する。
【００５２】
そして、図７（ｃ）に示す状態までアンテナ本体２が回動すると、今度はアンテナ本体２の一端部側に設けられたロック部材３０の突部２９が当該アンテナ本体２に形成された溝部２８に嵌り込む。この突部２９が前記溝部２８に嵌り込むことによって、アンテナ本体２はこれ以上回動することが不可能となり、その起立した状態を保持する。
【００５３】
一方、アンテナ本体２を開いた状態から閉じた状態とするのには、当該アンテナ本体２を筐体３側へ倒し込んで行く。すると、アンテナ本体２の先端に設けられた第１の磁石３９がロック部材４１の第２の磁石４０に引き寄せられる。この第１の磁石３９が第２の磁石４０に引き寄せられることによって、前記アンテナ本体２が筐体３内に収納され閉じた状態が保持される。
【００５４】
第４番目の例を図８に示す。この例は、図５に示した第１のロック手段の形態が異なる他は図５に示す機構と同じ構成である。この例の第１のロック手段は、図５のロック部材２３と全く同一の構成であり、図５と異なるところはロック爪２５をアンテナ本体２の係合溝２４に係合させるのではなく、当該アンテナ本体２の先端側部を前記ロック爪２５で上から押さえ込む点が異なる。この例では、図８（ａ）に示すように、ロック部材２３のロック爪２５がアンテナ本体２の先端部を上から押さえ込むことによって、前記アンテナ本体２が閉じた状態を保持する。
【００５５】
上記した構成の携帯通信端末用アンテナ１において、閉じた状態から開いた状態とするには、図８（ａ）に示すように、アンテナ本体２がロック部材２３によってロックされ閉じた状態から前記ロック部材２３を図８（ｂ）中矢印Ｅ方向に倒す。すると、アンテナ本体２の先端部を押さえていたロック爪２５がアンテナ本体２から外れ、アンテナ本体２は、ねじりコイルバネ２０の付勢力によって図８（ｃ）中矢印Ｂ方向に自動的に回動し起立する。この一方、ロック部材２３は、手を離すことによってコイルバネ２７によって元の位置（図８（ａ）に示す位置）に復帰する。
【００５６】
そして、図８（ｃ）に示す状態までアンテナ本体２が回動すると、今度はアンテナ本体２の一端部側に設けられたロック部材２３の突部２９が当該アンテナ本体２に形成された溝部２８に嵌り込む。この突部２９が前記溝部２８に嵌り込むことによって、アンテナ本体２はこれ以上回動することが不可能となり、その起立した状態を保持する。
【００５７】
一方、アンテナ本体２を開いた状態から閉じた状態とするのには、当該アンテナ本体２を筐体３側へ倒し込んで行く。すると、アンテナ本体２の先端部を覆うようにしてロック爪２５が、このアンテナ本体２の先端部に係合する。このロック爪２５がアンテナ本体２の先端部を覆うようにして係合することで、アンテナ本体２が筐体３内に収納され閉じた状態が保持される。
【００５８】
以上、本発明を適用した具体的な実施の形態について説明したが、本発明は上述の実施の形態に制限されることなく種々の変更が可能である。
【００５９】
例えば、上述の実施の形態では、アンテナ本体２に溝を形成し、この溝に係合する爪部をロック部材６に設けたが、逆に、アンテナ本体２に爪部を形成し、ロック部材６にこの爪部を係合させる溝を形成するようにしてもよい。
【００６０】
また、上述の実施の形態では、回転軸４に給電端子１７を固定したが、これら回転軸４と給電端子１７を一体化することなく別個独立としてもよい。
【００６１】
また、上述の実施の形態では、携帯電話機用のアンテナに本発明を適用したが、音声通信機能を持つＰＤＡ（Ｐｅｒｓｏｎａｌ　Ｄｉｇｉｔａｌ　Ａｓｓｉｓｔａｎｔ）などの携帯通信端末に本発明を適用しても同様の作用効果がある。
【００６２】
【発明の効果】
本発明によれば、ロック部材によってアンテナ本体が閉じた状態を保持し、また、アンテナ本体が開いた状態を保持できるので、不用意にアンテナ本体が倒れ込んだり立ち上がったりすることを回避できる。
【００６３】
また、本発明によれば、アンテナ本体を閉じた状態に保持する第１のロック手段と、アンテナ本体が開いた状態を保持する第２のロック手段を備えているので、アンテナ本体の不用意な倒れ込みを回避することができる。
【図面の簡単な説明】
【図１】筐体に組み込まれる前の携帯通信端末用アンテナの分解斜視図である。
【図２】筐体に組み込まれた携帯通信端末用アンテナの平面図である。
【図３】携帯通信端末用アンテナが閉じた状態の要部拡大平面図である。
【図４】携帯通信端末用アンテナが開いた状態の要部拡大平面図である。
【図５】アンテナの開動作を自動化したロック機構の一例を示す動作図である。
【図６】アンテナの開動作を自動化したロック機構のさらに他の例を示す動作図である。
【図７】アンテナの開動作を自動化したロック機構のさらに他の例を示す動作図である。
【図８】アンテナの開動作を自動化したロック機構のさらに他の例を示す動作図である。
【符号の説明】
１…携帯通信端末用アンテナ、２…アンテナ本体、３…筐体、４…回転軸、５…軸受け部材、６…ロック部材、９…ロック爪、１０…第１の被係合部、１１…第２の被係合部、１８…ガイド溝、２３，３１，４１…ロック部材、２４，３２…係合溝、２８…溝部、３０…ロック部材、３９…第１の磁石、４０…第２の磁石
【図１】
2004128978.tif 000003
【図２】
2004128978.tif 000004
【図３】
2004128978.tif 000005
【図４】
2004128978.tif 000006
【図５】
2004128978.tif 000007
【図６】
2004128978.tif 000008
【図７】
2004128978.tif 000009
【図８】
2004128978.tif 000010